(57)【要約】      （修正有）【課題】施工性及び断熱性に優れた嵌め殺し窓を提供する。【解決手段】上枠１ａ、下枠１ｂ及び左右の縦枠から構成されている枠１と、断熱性を有する複層ガラスからなるパネル２と、パネル保持材３を備え、パネル保持材３は、断熱性を有し、枠１の内周側へ係止される被係止部３６、３７と外周側見込面部を形成してあり、枠１には係止部１３が形成してあり、係止部１３に被係止部３６、３７が係止され、パネル２を保持し、外周側見込面部が枠１の室外側端部を覆う。【選択図】図１
2019138024.tif 000002
【特許請求の範囲】
【請求項１】
枠と、パネルと、パネル保持材を備え、パネル保持材は、断熱性を有し、枠の内周側へ係止される被係止部を形成してあり、枠に取り付けられてパネルを保持し、枠の室外側端部を覆うことを特徴とする嵌め殺し窓。
【発明の詳細な説明】
【技術分野】
【０００１】
本発明は、断熱性能を有する嵌め殺し窓に関する。
【背景技術】
【０００２】
従来の嵌め殺し窓は、躯体とサッシ枠との間に専用枠を設ける必要があり施工に手間が掛かっていた。そのため、より施工性の優れた嵌め殺し窓が求められていた。また、省エネの点から断熱性の向上も求められていた。
【先行技術文献】
【非特許文献】
【０００３】
【非特許文献１】「ＭＴＧ−７０  ＥＣＰ６０用枠タイプ  押出成形セメント板納まり専用枠（ＳＴＢ０１８２Ｈ）」三協立山株式会社、２０１７年２月
【発明の概要】
【発明が解決しようとする課題】
【０００４】
本発明は上記事情を鑑み、施工性及び断熱性に優れた嵌め殺し窓を提供することを目的とする。
【課題を解決するための手段】
【０００５】
本発明の嵌め殺し窓は、枠と、パネルと、パネル保持材を備え、パネル保持材は、断熱性を有し、枠の内周側へ係止される被係止部を形成してあり、枠に取り付けられてパネルを保持し、枠の室外側端部を覆うことを特徴とする。
【発明の効果】
【０００６】
本発明によれば、パネル保持材は断熱性を有し、枠に取り付けられてパネルを保持し、枠の室外側端部を覆うため、窓の施工性、断熱性、及び意匠性に優れる。また、パネル保持材は枠の内周側へ係止される被係止部を形成してあるため、パネルに負荷が掛かっても安定してパネル保持することができる。
【図面の簡単な説明】
【０００７】
【図１】嵌め殺し窓の縦断面図である。
【図２】嵌め殺し窓の横断面図である。
【図３】パネル保持材を示し、（ａ）は全体の正面図、（ｂ）はＡ−Ａ線断面図である。
【図４】図１の要部拡大図である。
【図５】（ａ）（ｂ）（ｃ）はパネル保持材の枠への取り付けを示す説明図である。
【発明を実施するための形態】
【０００８】
以下、本発明の実施の形態を図面に基づいて説明する。
本発明に係る嵌め殺し窓は、枠１とパネル２とパネル保持材３を備える。枠１は押出成形セメント板４の開口部に取り付けてあり、パネル２はパネル保持材３によって枠１の内周に固定してある。
【０００９】
枠１は、図１及び図２に示すように、上枠１ａ、下枠１ｂ及び左右の縦枠１ｃから構成されている。上枠１ａ、下枠１ｂ及び縦枠１ｃはそれぞれ、アルミ製の室内側枠材１０と室外側枠材１１が樹脂製のブリッジ材１２によって連結してある。室内側枠材１０と室外側枠材１１は対向する見付面に長手方向に亘って溝が形成してあり、溝内にブリッジ材１２が隙間なく嵌め込まれて室内側枠材１０と室外側枠材１１を強固に連結してあることで、枠１は室内外の熱伝導が遮断された断熱形材となっている。また、ブリッジ材１２は枠１の内周寄りと外周寄りの二箇所に間隔をあけて配置してあり、二つのブリッジ材１２，１２と室内側枠材１０及び室外側枠材１１によって断熱空間が形成されている。
室内側枠材１０は室外側見付面にガスケット５が取り付けてあり、ガスケット５がパネル２の室内側見付面に当接している。ガスケット５の内周側には、室内側枠材１０の室外側見付面とパネル２の室内側見付面との間にシール材６が充填されている。
室外側枠材１１は外周側見込面が平坦に形成してあり、被覆材７が当接している。そして、図４に示すように、室外側枠材１１の室外側端部には、係止部１３が形成してあり、係止部１３にパネル保持材３が取り付けられる。係止部１３はパネル２よりも室外側に延出しており、断面Ｔ字形状の凸部１４とその室外側に鉤状の凸部１５を備える。二つの凸部１４，１５は内周側に向かって突出しており、凸部１４，１５の間はパネル保持材３の被係止部３７が嵌まり込む係止溝１６となっている。また枠１は室内側の凸部１４よりも室内側の外周側見込面に、パネル保持材３の外れ止め部３４ａが係止される溝部１７が長手方向に沿って形成してある。なお下枠１ｂは、室内側の凸部１４を切り欠いて形成した水抜き部１４ａと、係止溝１６の底面を貫通させて設けた水抜き孔１６ａを有する。水抜き部１４ａと水抜き孔１６ａは排水部Ｄを構成し、図３（ａ）に示すように、下枠１ｂの長手方向に複数箇所設けてある。
【００１０】
パネル２は、断熱性を有する複層ガラスである。パネル２は室内側枠材１０の室外側に取り付けられたガスケット５と、室外側枠材１１の室外側端部に取り付けられたパネル保持材３によって室内外から挟まれて枠１内に保持されている。
【００１１】
パネル保持材３は、枠１の係止部１３に取り付けられて、枠１の室外側端部を内周側から外周側にわたって覆うとともに、室外側からパネル２を保持する。パネル保持材３は、図３（ｂ）に示すように、パネル押さえ部３１と、リップ部３２と、室外側見付面部３３及び外周側見込面部３４から構成されている。なおパネル保持材３の材質は断熱性を有するものであって、ＥＰＤＭ−Ｓ（エチレンプロピレンジエンゴム）やシリコーンゴムなどを用いることができる。
パネル押さえ部３１は、パネル２の縁部において室外側見付面に当接する。パネル押さえ部３１は、室内側見付面がパネル２の見付面と略平行に形成され、室外側見付面が外周側に向かって肉厚になるよう傾斜させてある。パネル押さえ部３１より内周側には、端部に向かって肉薄となるリップ部３２が形成してある。リップ部３２は、パネル押さえ部３１よりも室内側に傾斜して延びている。パネル保持材３を枠１に取り付けると、リップ部３２はパネル２の室外側見付面に沿って変形し、パネル２を室内側へ押圧する。また、パネル押さえ部３１より外周側には、室外側端部から見付方向に延びる室外側見付面部３３が形成してある。さらに、パネル押さえ部３１の外周側には室内側に開口する溝部３５が設けてあり、室外側見付面部３３が溝部３５の底部を構成している。溝部３５には枠１の係止部１３が挿入される。溝部３５の内周側側壁には、鉤状の被係止部３６とその室外側に断面Ｔ字形状の被係止部３７が形成してある。二つの被係止部３６，３７は外周側に向かって突出していて、枠１の内周側に係止される。室外側の被係止部３７は枠１の係止溝１６に嵌まり込み、室内側の被係止部３６は枠１の室内側の凸部１４に係止される。溝部３５の内周側側壁は、室外側見付面部３３の端部から室内側に延びる外周側見込面部３４によって構成されている。外周側見込面部３４は枠１の室外側端部において外周側見込面を覆う。外周側見込面部３４の室内側端部には、内周側に突出する外れ止め部３４ａが形成してある。外れ止め部３４ａは枠１の外周側に形成された溝部１７に係止される。また、外周側見込面部３４の内周側面には、凹凸加工された滑り止め部３４ｂが形成してある。そして、外周側見込面部３４と室外側見付面部３３がなす角部の内角部分には、枠１への取り付け時に外周側見込面部３４を外周側へ捲れやすくするための凹部３８が設けてある。
【００１２】
パネル保持材３は、図３（ａ）に示すように一体枠状の部材であり、縦方向と横方向とがパネル押さえ部３１とリップ部３２及び室外側見付面部３３において溶着して一体成形されている。そして、外周側見込面部３４は各角部に枠１への取り付けを容易にするための切り込み（角度切り部３４ｄ）が形成してある。
また、下枠１ｂに取り付けられるパネル保持材３の下辺は、パネル押さえ部３１の外周側寄りの部分から被係止部３６，３７を切り欠いて水抜き部３１ａを設けてあり、外周側見込面部３４は見付方向に貫通する水抜き孔３４ｃを設けてある。水抜き部３１ａと水抜き孔３４ｃは、下枠１ｂに設けた水抜き部１４ａと水抜き孔１６ａの位置に合わせて下枠１ｂの長手方向に複数箇所設けてあり、排水部Ｄを構成する。
【００１３】
パネル保持材３の室内側には、パネル保持材３に連続して枠１に被覆材７が取り付けてある。被覆材７は断熱性を有し、枠１の外周側を覆い枠１と押出成形セメント板４との間を塞ぐ。被覆材７の室内側には、室外側枠材１０の外周側見込面と押出成形セメント板４の内周側見込面との間にバックアップ材８が配置されている。
【００１４】
次いで、パネル保持材３の枠１への取り付け手順を図５によって説明する。枠１とパネル保持材３は上下左右が略同様の構成であり、図５は上枠１ａにパネル保持材３の上辺を取り付ける手順を示す。
パネル保持材３は、枠１内にパネル２を嵌め込んだ状態で取り付ける。まず図５（ａ）のように、パネル保持材３の外周側見込面部３４を室外側に捲り上げた状態で係止部３６，３７を枠１の係止溝１６へ嵌め込む。そして、図５（ｂ）のように、捲り上げた外周側見込面部３４を枠１の外周側へ被せ、外れ止め部３４ａを枠１の溝部１７へ係止させる（図５（ｃ））。
【００１５】
このように取り付けたパネル保持材３は、パネル２に負圧が作用すると、図４に示すように被係止部３７を支点とする室外向きのモーメントＭがかかるが、枠１は係止溝１６の室内側に凸部１４を備え、凸部１４にパネル保持材３の室内側の被係止部３６が係止されているため、パネル保持材３は負圧によるモーメントＭに対して抵抗し、パネル保持材３が外れるおそれがない。さらに、パネル保持材３のリップ部３２は、パネル２の室外側見込面を室外側から押圧するので、パネル２に負圧が作用してもパネル２を安定して保持することができ、水の浸入を防ぐことができる。一方で、パネル２に正圧が作用した場合は、パネル２がパネル保持材３から離れようとするが、パネル保持材３のリップ部３２はパネル押さえ部３１よりも室内側に向けて傾斜して延びているため、パネル２の移動に追従して変形し、パネル２を押圧する。従って、パネル２に正圧が作用した場合もパネル２を安定して保持でき、水の浸入を防ぐことができる。
【００１６】
このように構成した嵌め殺し窓によれば、パネル保持材３が断熱性を有し、枠１の内周側へ係止される被係止部３６，３７を形成してあり、枠１に取り付けられてパネル２を保持し、枠１の室外側端部を覆うので、施工性、断熱性、及び意匠性に優れる。また、パネル保持材３は、枠１の係止部１３に取り付けられて、枠１の室外側端部を内周側から外周側にわたって覆うため、枠１が目立たず、より意匠性に優れる。パネル保持材３は、枠１の外周側に設けた溝部１７に係止される外れ止め部３４ａを有するため、パネル保持材３が枠１から容易に外れることなく、安定に取り付けることができるという効果もある。さらにパネル保持材３は、縦方向と横方向とがパネル押さえ部３１とリップ部３２及び室外側見付面部３３において溶着して一体成形されており、外周側見込面部３４は各角部に枠１への取り付けを容易にするための切り込み（角度切り部３４ｄ）が形成してあり、切り込みした外周側見込面部３４同士を当接させることで、枠１の四周を覆い、枠１をより目立ち難くすることができる。そして、パネル保持材３は、パネル押さえ部３１の室外側見付面が外周側に向かって肉厚になるよう傾斜させてあるため、水切りの効果、パネル保持材３が目立ち難い効果、パネル保持材３の材料費が抑えられる効果がある。
パネル保持材３の室内側には連続して断熱性を有する被覆材７が設けてあり、被覆材７は枠１の外周側を覆い枠１と押出成形セメント板４との間を塞ぐため、断熱性及び密封性に優れる。
そして、枠１は係止溝１６の室内側に凸部１４を備え、凸部１４にパネル保持材３の室内側の被係止部３６が係止されているため、パネル２に負圧が作用しても、パネル保持材３が外れるおそれがない。さらに、パネル保持材３のリップ部３２は、パネル２の室外側見込面を室外側から押圧するので、パネル２に負圧が作用してもパネル２を安定して保持することができ、水の浸入を防ぐことができる。一方で、パネル２に正圧が作用した場合は、パネル保持材３のリップ部３２はパネル押さえ部３１よりも室内側に向けて傾斜して延びているため、パネル２の移動に追従して変形し、パネル２を押圧する。従って、パネル２に正圧が作用した場合もパネル２を安定して保持でき、水の浸入を防ぐことができる。
【００１７】
本発明は、上記の実施形態に限定されない。例えば、枠の係止部とパネル保持材の被係止部の形状は適宜変更することができる。また、嵌め殺し窓は四角形状のものには限られない。
【符号の説明】
【００１８】
１      枠
２      パネル
３      パネル保持材
４      押出成形セメント板
３６      被係止部
３７      被係止部
【図１】
2019138024.tif 000003
【図２】
2019138024.tif 000004
【図３】
2019138024.tif 000005
【図４】
2019138024.tif 000006
【図５】
2019138024.tif 000007